(57)【要約】【課題】  本発明は、振動や衝撃に強いフレーム構造を形成できるようにする。【解決手段】  本発明によれば、セットシャーシ２０に形成された弾性変形自在な突出片４０〜４３と、メカデッキ５０との隙間がほとんどない状態で、当該突出片４０〜４３によってメカデッキ５０が保持されているので、メカデッキ５０とセットシャーシ２０との隙間を起因とした振動によるガタツキを当該突出片４０〜４３によって防止することができると共に、衝撃及び外圧による破壊や変形等を当該突出片４０〜４３の弾性力によって防止することができる。さらにこのセットシャーシ２０では、当該メカデッキ５０と当該突出片４０〜４３との隙間が殆どない状態で当該メカデッキ５０を保持するため、通常状態においても当該メカデッキ５０に変形や撓みが生じることを防止することができる。【選択図】        図５
2006228331.tif 000002
【特許請求の範囲】
【請求項１】
所定の保護対象の周囲を覆うように形成された側壁部を有するフレームと、
上記側壁部に設けられ、上記保護対象との隙間が殆ど無い状態で上記保護対象を保持するための弾性変形自在な突出片と
を具えることを特徴とするフレーム構造。
【請求項２】
上記突出片は、上記保護対象に対して面接触する
ことを特徴とする請求項１に記載のフレーム構造。
【請求項３】
上記突出片は、上記フレームの上記側壁部と一体的に形成されている
ことを特徴とする請求項１に記載のフレーム構造。
【請求項４】
所定の保護対象となる光学系部品の周囲を覆うように形成された側壁部を有するフレームと、
上記側壁部に設けられ、上記光学系部品との隙間が殆ど無い状態で上記光学系部品を保持するための弾性変形自在な突出片と
を具えることを特徴とする電子機器。
【発明の詳細な説明】
【技術分野】
【０００１】
本発明は、フレーム構造及び電子機器に関し、例えばポータブルミニディスクプレーヤに適用して好適なものである。
【背景技術】
【０００２】
従来、ポータブルミニディスクプレーヤにおいては、その外観を構成する筐体ケースの内部にフレームとなるセットシャーシを有し、当該セットシャーシの内部に保護対象となるメカデッキを嵌め込んだ状態で保持している。
【０００３】
このメカデッキはＣＬＶ（Constant Linear Velocity）モーター部や光学系を有し、当該ＣＬＶモーター部を介してミニディスク（登録商標）を回転させながら、光学系による読取処理を行うことによって、ミニディスクに記録された音楽データ等を再生する。
【０００４】
また、ポータブルミニディスクプレーヤにおいては、セットシャーシに加えられた衝撃や外圧がメカデッキに直接伝達されることを防止するために、当該セットシャーシと当該メカデッキとの間に０．１ｍｍ程度のクリアランスが設けている。しかしながら、当該ポータブルミニディスクプレーヤではこのクリアランスが存在するために、振動等によってセットシャーシ内をメカデッキが揺動する、いわゆるガタツキが生じ、これにより再生不能な状態、いわゆる音飛びが生じていた。
【０００５】
ポータブルミニディスクプレーヤにおいては、セットシャーシとメカデッキとの間のクリアランスをゼロにすることで、上述したメカデッキのガタツキを防止することができる。しかし、クリアランスがゼロになるようにメカデッキを保持した場合、外部からセットシャーシに加えられた衝撃や圧力は緩衝されることなく直接メカデッキに伝達されることとなり、当該衝撃や圧力によるメカデッキの破壊や変形及びスキューずれを生じるという問題があった。
【０００６】
すなわち、ポータブルミニディスクプレーヤでは、セットシャーシとメカデッキとの間にクリアランスを設けた場合ガタツキを生じ、当該クリアランスをゼロとした場合には衝撃や外圧による破壊や変形を生じるという、相反する問題が生じていた。
【０００７】
一方、フレームと保護対象の間に設けられたヒンジ金具に弾性変形可能な屈曲部を設け、当該屈曲部によって衝撃や振動を緩衝するようになされた携帯用情報機器がある（例えば、特許文献１参照）。
【特許文献１】特開２００３−２１６２７３公報
【発明の開示】
【発明が解決しようとする課題】
【０００８】
ところでかかる構成のポータブルミニディスクプレーヤにおいては、上述の携帯用情報機器における衝撃や振動の緩衝方法を用いた場合、ヒンジ金具に設けられた屈曲部をフレームに圧迫させることで保護対象となるメカデッキを固定させることになるため、衝撃や外圧の生じていない通常状態であっても、メカデッキが常に加圧された状態となり、当該保護対象に撓みや変形等を生じるという問題があった。
【０００９】
本発明は以上の点を考慮してなされたもので、フレーム構造によって保持する保護対象のガタツキを防止すると共に、当該フレーム構造を介して与えられる衝撃や外圧による破壊や変形等を防止し得るフレーム構造及び電子機器を提案しようとするものである。
【課題を解決するための手段】
【００１０】
かかる課題を解決するため本発明のフレーム構造は、所定の保護対象の周囲を覆うように形成された側壁部を有するフレームと、当該側壁部に設けられ、当該保護対象との隙間が殆ど無い状態で上記保護対象を保持するための弾性変形自在な突出片とを具えるようにする。
【００１１】
このフレーム構造では、フレーム側壁部に形成された弾性変形自在な突出片と、所定の保護対象との隙間がほとんどない状態で、当該突出片によって保護対象が保持されているので、保護対象とフレームとの隙間を起因とした振動によるガタツキを当該突出片によって防止することができると共に、衝撃及び外圧による破壊や変形等を当該突出片の弾性力によって防止することができる。さらにこのフレーム構造では、当該保護対象と当該突出片との隙間が殆どない状態で上記保護対象を保持するため、通常状態においても保護対象に変形や撓みが生じることを防止することができる。
【００１２】
かかる課題を解決するため本発明の電子機器は、所定の保護対象となる光学系部品の周囲を覆うように形成された側壁部を有するフレームと、当該側壁部に設けられ、当該光学系部品との隙間が殆ど無い状態で当該光学系部品を保持するための弾性変形自在な突出片とを具えるようにする。
【００１３】
この電子機器では、フレーム側壁部に形成された弾性変形自在な突出片と、所定の保護対象である光学系部品との隙間がほとんどない状態で、当該突出片によって当該光学系部品が保持されているので、当該光学系部品とフレームとの隙間を起因とした振動によるガタツキを当該突出片によって防止することができると共に、衝撃及び外圧による破壊や変形等を当該突出片の弾性力によって防止することができる。さらにこの電子機器は、当該光学系部品と当該突出片との隙間が殆どない状態で当該光学系部品を保持するため、通常状態においても保護対象に変形や撓みが生じることを防止することができる。
【発明の効果】
【００１４】
本発明によれば、フレーム側壁部に形成された弾性変形自在な突出片と、保護対象との隙間がほとんどない状態で、当該突出片によって保護対象が保持されているので、保護対象とフレームとの隙間を起因とした振動によるガタツキを当該突出片によって防止することができると共に、衝撃及び外圧による破壊や変形等を当該突出片の弾性力によって防止することができる。さらにこのフレーム構造では、上記保護対象と上記突出片との隙間が殆どない状態で上記保護対象を保持するため、通常状態においても保護対象に変形や撓みが生じることを防止することができるフレーム構造及び電子機器を実現できる。
【発明を実施するための最良の形態】
【００１５】
以下、図面について、本発明の一実施の形態を詳述する。
【００１６】
（１）ポータブルミニディスクプレーヤの全体構成
図１において、１は全体として本発明のポータブルミニディスクプレーヤを示し、上蓋ケース２及び下ケース３によって当該ポータブルミニディスクプレーヤ１の全体的な外観が形成されている。
【００１７】
ここでポータブルミニディスクプレーヤ１では、ミニディスクカートリッジ８が挿入される方向を後方向とすると共に、当該ミニディスクカートリッジ８が排出される方向を前方向とし、さらに当該ミニディスクカートリッジ８が挿入される挿入口にユーザが対峙した状態において向かって右側を右方向、左側を左方向として以下、説明する。
【００１８】
上蓋ケース２は、その天井面２Ａのほぼ中央から左部にかけて複数の貫通孔４が形成されており、そこに各種操作ボタン５Ａが一体化された操作ボタン部５が取り付けられることにより、当該天井面２Ａから外側へ向かって各種操作ボタン５Ａがわずかに突出するようになされている。
【００１９】
上蓋ケース２には操作ボタン部５を介してミニディスクカートリッジ８を装填するメディアホルダ６が一体に取り付けられ、当該上蓋ケース２と当該メディアホルダ６とが連動した状態で開閉動作が行われるようになされている。
【００２０】
一方、下ケース３は、側面からねじ７によりねじ止めすることでセットシャーシ２０が取付固定されると共に、当該セットシャーシ２０の下側に取り付けられるメイン基板１０を当該下ケース３と当該セットシャーシ２０との間に挟みこんだ状態でねじ９により取り付けるようになされている。
【００２１】
セットシャーシ２０は、内部の空間にメカデッキ５０を収納し得ると共に、当該メカデッキ５０の上部にミニディスクカートリッジ８を収納し得るようになされている。当該メカデッキ５０は当該ミニディスクカートリッジ８内のミニディスク８ＡをＣＬＶモーター部５１によって回転させ、光学系５２で読取処理を行い、当該ミニディスク８Ａに記録された音楽データ等を再生し得るようになされている。
【００２２】
また、セットシャーシ２０の左右方向の側面において、後ろ端部にリベット１１によりカシメられることにより取り付けられた支点板１２が、側面端部を支点としてメディアホルダ６の開閉動作にあわせて回動し、取り付けられたばね（図示せず）の付勢力によって当該メディアホルダ６を開かせる方向に付勢するようになされている。
【００２３】
ここでセットシャーシ２０は、図２に示すように、全体として扁平状の枠組み構造で形成された矩形の枠体でなり、板状部材が所定形状に折り曲げられること若しくは成型等によって形成される。
【００２４】
セットシャーシ２０は、左部に電池収納部２１を有している。当該電池収納部２１は、電池２２より僅かに大きく、挿入された当該電池２２の左右及び後ろ側面と上面を覆うように形成され、例えば充電式のニッケル水素電池やリチウムイオン電池等が装填されるようになされている。
【００２５】
セットシャーシ２０には、電池収納部２１に隣接した前方向側壁部にヘッドフォンジャック端子収納部２７が設けられている。当該ヘッドフォンジャック端子収納部２７は、メイン基板１０に一体的に形成されたヘッドフォンジャック端子２８を収納するようになされている。
【００２６】
セットシャーシ２０の下部には、基板収納部２５が設けられている。当該基板収納部２５は側壁にメイン基板１０を取り付けるべき突出部である基板保持部分２６が設けられており、当該基板保持部分２６の上部から当該メイン基板１０をねじ９によりねじ止めすることで保持すると共に、当該メイン基板１０の表面ベース部分から突出する電子部品等からなる回路部（図示せず）を収納するようになされている。
【００２７】
基板収納部２５の上部には、メカデッキ収納部２９が設けられている。当該メカデッキ収納部２９は、セットシャーシ２０の側壁と電池収納部２１の側壁とによって囲まれた空間によって構成され、メカデッキ５０が収納されると、メカデッキ５０の周側面を四方の側壁で覆うようになされている。また、当該メカデッキ収納部２９に収納された当該メカデッキ５０の上面は当該電池収納部２１の上面と略同じ高さになるように形成され、当該メカデッキ収納部２９の上部に位置するカートリッジ収納部２３にミニディスクカートリッジ８が収納され得るようになされている。
【００２８】
このカートリッジ収納部２３は、ミニディスクカートリッジ８をメカデッキ５０の上に載置させ、当該ミニディスクカートリッジ８の周囲を当該ミニディスクカートリッジ８と略同じ高さでなるセットシャーシ２０の側壁により覆い、保持し得るようになされている。
【００２９】
爪部３０及び爪部３１は、セットシャーシ２０のメカデッキ収納部２９を構成する側壁に一体的に形成された突出部分である。ここで、メカデッキ５０は、セットシャーシ２０の側壁に設けられた爪部３０及び爪部３１によって係止されることによってその上下方向の動きを規制され、爪部３０は当該メカデッキ５０の下面を、爪部３１は当該メカデッキ５０の上面を保持するようになされている。
【００３０】
すなわち、メカデッキ５０は爪部３０と爪部３１との間に潜り込み、当該メカデッキ５０の下面を当該爪部３０、上面を当該爪部３１によって係止されることにより、メカデッキ収納部２９内に上下方向の動きが規制された状態で保持されるようになされている。
【００３１】
（２）突出片の構造
また、図２及び図３に示すように、セットシャーシ２０のメカデッキ収納部２９を構成する側壁の内側には、各側壁の中央付近に突出片４０〜４３が設けられている。以下、突出片４０の形状及び構造について説明するが、突出片４０〜４３は同一形状及び同一構造を有するため、突出片４１〜４３についての説明は省略する。
【００３２】
図４に示すように、突出片４０はセットシャーシ２０のメカデッキ収納部２９を構成する側壁の一部を矩形状に切り起こして折り曲げることによって形成され、当該側壁の内側に張り出し、当該側壁に対して斜めな傾斜部４０Ａと、当該側壁に対して平行な平行部４０Ｂを有している。
【００３３】
従って、図５に示すように、メカデッキ５０がメカデッキ収納部２９に取り付けられた場合、セットシャーシ２０はメカデッキ側面５０Ａと突出片４０〜４３の平行部４０Ｂ〜４３Ｂの先端とのクリアランスがほぼゼロの状態で当該メカデッキ５０を当該メカデッキ収納部２９内に収納することができる。
【００３４】
これにより、セットシャーシ２０は、突出片４０〜４３によってメカデッキ５０の側面５０Ａと当該セットシャーシ２０との隙間を埋めると共に、当該メカデッキ５０に対してほぼ外圧が加わらない状態で保持し得るようになされている。このため、当該突出片４０〜４３によって当該メカデッキ５０を圧迫することがないので、衝撃や振動等が生じていない通常状態の時に、当該メカデッキ５０の変形や撓み及びスキューずれが生じることを予め防止し得るようになされている。
【００３５】
また、図６に示すように突出片４０は傾斜部４０Ａとメカデッキ収納部２９を構成する側壁との境界部分４０Ａａを支点に矢印に示す方向へ弾性変形し得るようになされている。
【００３６】
これにより、セットシャーシ２０は当該セットシャーシ２０に外部から何らかの衝撃が加えられた場合、４０Ａａを支点に突出片４０が当該セットシャーシ２０の側壁側へ弾性変形するため、メカデッキ５０へ伝達される当該衝撃を緩和することができ、当該メカデッキ５０の破壊や変形等を防止し得るようになされている。
【００３７】
また、セットシャーシ２０は当該セットシャーシ２０に外圧が加えられた場合も同様に、突出片４０の弾性変形によりメカデッキ５０に直接外圧が加えられることを防止でき、当該外圧によるメカデッキ５０の破壊及び変形を防止することができる。
【００３８】
さらに、突出片４０は平行部４０Ｂの内側の面全体で、すなわち面接触にてメカデッキ５０を保持し得るようになされている。これにより、当該突出片４０は、当該突出片４０の弾性力によって吸収しきれなかった外部からの衝撃や圧力を、平行部４０Ｂの全面からメカデッキ５０へ伝達することができ、衝撃や圧力等の応力が一点に集中することを防止することができる。
【００３９】
さらに、図５に示したようにセットシャーシ２０は当該セットシャーシ２０に振動が加えられた場合、メカデッキ５０が弾性力を有する突出片４０〜４３によって支持されており、外圧に応じた振動を突出片４０〜４３によって吸収できるため、当該メカデッキ５０がメカデッキ収納部２９内を揺動するいわゆるガタツキが生じることを防止し得、ミニディスクの再生中に生じる音飛びを防止し得るようになされている。
【００４０】
尚、セットシャーシ２０は想定される外圧の大小に応じて、突出片４０における傾斜部４０Ａの角度や長さ、平行部４０Ｂの長さ、若しくは当該突出片４０の厚さ、幅等のサイズや材質等を変更することで弾性力を自由に調整し得るようになされている。
【００４１】
（３）動作及び効果
以上の構成において、ミニディスクプレーヤ１（図１）のセットシャーシ２０（図２）では、その電池収納部２１に隣接し、カートリッジ収納部２３と基板収納部２５とに挟まれる部分にメカデッキ収納部２９が設けられている。
【００４２】
セットシャーシ２０のメカデッキ収納部２９を構成する側壁には、メカデッキ５０の上下を保持するための爪部３０及び爪部３１が上下方向の動きを規制した状態で設けられているため、当該メカデッキ５０を保持すると共に、当該メカデッキ５０が当該メカデッキ収納部２９から容易に外れてしまうことを防止し得る。
【００４３】
また、図５に示したように、セットシャーシ２０のメカデッキ収納部２９を構成する側壁には突出片４０〜４３が設けられており、当該突出片４０〜４３の平行部４０Ｂ〜４３Ｂとメカデッキ側面５０Ａとの間に殆ど隙間がない状態でメカデッキ５０を保持しているため、当該突出片４０〜４３によってガタツキを防止しメカデッキ５０を一定位置に維持できるため、光学系５２（図１）によってミニディスクの音楽データ等を安定した状態で再生することができる。
【００４４】
また、セットシャーシ２０は、当該突出片４０〜４３が弾性変形することによってメカデッキ５０の寸法公差を吸収することができる。従来、セットシャーシ２０及びメカデッキ５０が共に寸法公差範囲内で製造されていても、例えば設計寸法よりも小さいサイズのセットシャーシ２０と大きいサイズのメカデッキ５０が組み合わされた場合には当該メカデッキがスキューずれ、変形や歪み等を生じる可能性があり、ポータブルディスクプレーヤ１全体として不良品となることがあった。
【００４５】
しかし、セットシャーシ２０は、当該突出片４０〜４３を当該セットシャーシ２０の側壁側へ弾性変形させることができるため、上述したスキューずれ等を生じることなく当該メカデッキ５０を当該セットシャーシ２０内に保持することができる。これにより当該セットシャーシ２０は、当該セットシャーシ２０及びメカデッキ５０が寸法公差範囲内の場合であっても生じていたポータブルミニディスクプレーヤ１が不良品となることを防止することができるため、その結果、当該ポータブルミニディスクプレーヤ１の製造工程において歩留まりの大幅な向上をさせることができる。
【００４６】
また、セットシャーシ２０は、通常状態において突出片４０〜４３によってメカデッキ５０をほぼ隙間がない状態で保持している。すなわち、当該突出片４０〜４３はメカデッキ５０から殆ど圧力を受けない状態で当該メカデッキ５０を保持することが可能であるため、当該突出片４０〜４３が塑性変形を生じその弾性力を低下させることがない。これによりセットシャーシ２０は当該突出片４０〜４３によって当該メカデッキ５０を衝撃や振動から保護する機能を低下させることなく、長期間に渡って当該メカデッキ５０を保護することがき、ポータブルミニディスクプレーヤ１の耐久性を向上させることができる。
【００４７】
さらに、セットシャーシ２０は、当該セットシャーシ２０の側壁に突出片４０〜４３を一体的に設けているため、別段新たな部品を準備する必要がなく、工程を簡素化することが可能である。
【００４８】
さらに、セットシャーシ２０は、側壁の一部を矩形状に切り起こして折り曲げることによって突出片４０〜４３を設けているため、切り起こされた側壁部分には空洞が形成されている（図４）。これにより、当該突出片４０〜４３は側壁に衝突することなく、一段と大きく弾性変形をすることができる。当該セットシャーシ２０は側壁が空洞でない突出片４０〜４３の場合と比較して同一サイズ、同一形状において一段と大きい衝撃緩衝機能を有することができるため、当該突出片４０〜４３を小型化することができ、さらには当該セットシャーシ２０自体を小型化し得る。
【００４９】
すなわち、セットシャーシ２０のメカデッキ収納部２９を構成する側壁に突出片４０〜４３を設け、隙間が殆ど無い状態でメカデッキ５０を保持するため、当該セットシャーシ２０は通常状態において当該メカデッキ５０に圧力が加わることを防止できる。さらに、当該セットシャーシ２０は当該セットシャーシ２０の側壁と当該メカデッキ５０との間に所定のクリアランスを設けた場合に生じるガタツキ、及び当該クリアランスを設けない場合に生じる衝撃や外圧による当該メカデッキ５０の破壊や変形、スキューずれ等、従来の相反する２つの問題を同時に防止することができる。
【００５０】
以上の構成によれば、ポータブルミニディスクプレーヤ１において、セットシャーシ２０のメカデッキ収納部２９を構成する側壁には、弾性変形自在な突出片４０〜４３がメカデッキ側面５０Ａとの間隙が殆ど無いような状態に形成されているため、メカデッキ５０に対して外圧が加えられていない状態で保持することができる。このためセットシャーシ２０は衝撃や振動等が無い通常状態において当該メカデッキ５０に撓みや変形及びスキューずれを生じさせることがない。またセットシャーシ２０は、突出片４０〜４３の弾性力によって、メカデッキ５０の振動によるガタツキを防止し得ると共に、衝撃や外圧に対する当該メカデッキ５０の変形や撓み及びスキューずれを防止することができる。
【００５１】
（４）他の実施の形態
なお上述の実施の形態においては、セットシャーシ２０のメカデッキ収納部２９を構成する側壁を切り起こすことによって、突出片４０〜４３を当該セットシャーシ２０と一体的に形成するようにした場合について述べたが、本発明はこれに限らず、例えば図７に示すように、別部品として形成された傾斜部１００Ａと平行部１００Ｂとねじ止部１００Ｃとからなる突出片１００を準備し、ねじ穴１００Ｄにねじ１００Ｅ締め付けることによって当該突出片１００をセットシャーシ８０の側壁に取り付けるようにしても良く、また、接着剤等により取り付けるようにしても良い（図示せず）。
【００５２】
また、上述の実施の形態においては、セットシャーシ２０のメカデッキ収納部２９を構成する側壁を切り起こすことによって、突出片４０〜４３を当該セットシャーシ２０と一体的に形成するようにした場合について述べたが、本発明はこれに限らず、図８に示すように、例えば傾斜部１０１Ａと平行部１０１Ｂを有する突出片１０１を当該セットシャーシ８１の側壁から突出するように、射出成形により一体成形することによって形成されても良い。
【００５３】
さらに、上述の実施の形態においては、セットシャーシ２０に傾斜部４０Ａ〜４３Ａと平行部４０Ｂ〜４３Ｂを有する突出片４０〜４３を設け、当該平行部４０Ｂ〜４３Ｂの内側の面全体、すなわち面接触によってメカデッキ５０を保持するようにした場合について述べたが、本発明はこれに限らず、例えば図９に示すようにセットシャーシ８２に２つの傾斜部１０２Ａ、１０２Ｂからなる三角形状の突出片１０２を設けても良く、また、図１０に示すように、セットシャーシ８３に傾斜部１０３Ａのみからなる突出片１０３を設けても良い。
【００５４】
すなわち、当該セットシャーシ８２〜８３は当該突出片１０２及び突出片１０３の先端の線状部分である突出片先端１０２Ｃ、１０３Ｃにおいて線接触によって当該メカデッキ５０を保持するようにしても良い。また図１１に示すようにセットシャーシ８４は、コイルスプリング形状の突出片１０４を設けても良く、弾性変形し得る形状であれば突出片の形状を自由に変更することが可能である。
【００５５】
さらに、上述の実施の形態においては、セットシャーシ２０のメカデッキ収納部２９を構成する側壁の四方に突出片４０〜４３を各一個、合計４個設けた場合（図５）について述べたが、本発明はこれに限らず、図１２に示すようにセットシャーシ８５の隣り合う２つの当該側壁に突出片１２０〜１２１を各一個設けるようにしても良く、また、対向する２つの当該側壁に設けても良い（図示せず）。これにより、選択的に若しくは重点的にメカデッキ５０の保護したい部位を上述した振動や衝撃等から保護することができる。
【００５６】
また、図１３に示すように、セットシャーシ８６の１つの側壁に複数個の突出片１３０〜１３６を設けたり、各側壁に異なる個数設けたり、一つのセットシャーシ内に異なる形状、構造やサイズの突出片を組み合わせても良い（図示せず）。これにより、外圧に応じてセットシャーシを設計することが容易となり、効果的にメカデッキ５０を上述した振動や衝撃などから保護することができる。
【００５７】
さらに、上述の実施の形態においては、セットシャーシ２０のメカデッキ収納部２９を構成する側壁に突出片４０〜４３を設けた場合について述べたが、本発明はこれに限らず、図１４に示すように、セットシャーシ８７の側壁ではなく、メカデッキ５５のメカデッキ側面５５Ａに突出片１４０〜１４３をその平行部１４０Ｂ〜１４３Ｂと当該メカデッキ収納部２９の側壁部との隙間がほぼゼロとなるように形成しても良い。この場合、メカデッキ５５は当該突出片１４０〜１４３を介してセットシャーシ８７内に弾力的に保持され、上述した場合と同様、当該セットシャーシ８７の側壁と当該メカデッキ５５との間に所定のクリアランスを設けた場合に生じるガタツキ、及び当該クリアランスを設けない場合に生じる衝撃や外圧による当該メカデッキ５５の破壊や変形、スキューずれ等を同時に防止することができる。
【００５８】
さらに、上述の実施の形態においては、外観を構成する筐体ケースとしての下ケース３内にフレーム構造としてのセットシャーシ２０がねじ止めされ、当該セットシャーシ２０内に保護対象としてのメカデッキ５０が収納された場合について述べたが、本発明はこれに限らず、例えばフレーム構造としての機能を有する下ケース３に当該メカデッキ５０を収納しても良く、筐体ケースに本発明のフレーム構造機能を持たせることができる。
【００５９】
さらに、上述の実施の形態においては、フレーム構造としてのセットシャーシ２０と、当該セットシャーシ２０によって保持される所定の保護対象としてのメカデッキ５０とによって構成する場合について述べたが、本発明はこれに限らず、その他種々の形状を有するフレーム構造と、当該フレーム構造によって保持される所定の保護対象によって構成するようにしても良い。
【００６０】
さらに上述の実施の形態においては、セットシャーシ２０は携帯型のポータブルミニディスクプレーヤ１に適用した場合について述べたが、本発明はこれに限らず、例えば車載用のミニディスクプレーヤ等、種々の電子機器に適用しても良い。
【産業上の利用可能性】
【００６１】
本発明のフレーム構造及び電子機器は、例えば衝撃や振動が発生し易い環境下で用いられる保護対象を収納する種々の構造物に適用することができる。
【図面の簡単な説明】
【００６２】
【図１】本実施の形態におけるポータブルミニディスクプレーヤの全体構成を示す略線的斜視図である。
【図２】本実施の形態におけるセットシャーシの構造を示す略線的斜視図である。
【図３】本実施の形態における突出片の配置を示す略線図である。
【図４】本実施の形態における突出片の構造を示す略線的斜視図である。
【図５】本実施の形態における突出片とメカデッキの位置関係を示す略線図である。
【図６】本実施の形態における衝突時の突出片の作用の説明に供する略線図である。
【図７】他の実施の形態における突出片の構造（１）を示す略線的斜視図である。
【図８】他の実施の形態における突出片の構造（２）を示す略線的斜視図である。
【図９】他の実施の形態における突出片の形状（１）を示す略線的斜視図である。
【図１０】他の実施の形態における突出片の形状（２）を示す略線的斜視図である。
【図１１】他の実施の形態における突出片の形状（３）を示す略線的斜視図である。
【図１２】他の実施の形態における突出片の個数の変更を示す略線図である。
【図１３】他の実施の形態における突出片の個数及び配置の変更を示す略線図である。
【図１４】他の実施の形態における突出片のメカデッキ側面への設置を示す略線図である。
【符号の説明】
【００６３】
２……メカデッキ、５……セットシャーシ、１０……ポータブルミニディスクプレーヤ２９……メカデッキ収納部、４０〜４３……突出片。
【図１】
2006228331.tif 000003
【図２】
2006228331.tif 000004
【図３】
2006228331.tif 000005
【図４】
2006228331.tif 000006
【図５】
2006228331.tif 000007
【図６】
2006228331.tif 000008
【図７】
2006228331.tif 000009
【図８】
2006228331.tif 000010
【図９】
2006228331.tif 000011
【図１０】
2006228331.tif 000012
【図１１】
2006228331.tif 000013
【図１２】
2006228331.tif 000014
【図１３】
2006228331.tif 000015
【図１４】
2006228331.tif 000016